(57)【要約】【課題】折り畳み式の携帯電話に於ける補助液晶表示部に表示された文字や記号からなる表示情報の確認を容易にする。【解決手段】補助表示部Ａは、折り畳み式携帯電話の補助表示部Ａを構成する液晶からなる表示部３の透明窓部に凸レンズ状の凸レンズ部１４ｂを設けた保護カバー１４を取り付けて構成される。【選択図】        図１
2005333518.tif 000002
【特許請求の範囲】
【請求項１】
折り畳み式携帯電話の補助液晶表示部の構造であって、前記補助液晶表示部の透明窓部に凸レンズ状の保護カバーを取り付けたことを特徴とする補助液晶表示部の構造。
【発明の詳細な説明】
【技術分野】
【０００１】
本発明は、折り畳み式の携帯電話に設けられた補助液晶表示部の構造に関し、補助液晶表示部の透明窓部に凸レンズ状の保護カバーを設けることで表示部を拡大して表示情報を確認し易くした補助液晶表示部の構造に関するものである。
【背景技術】
【０００２】
折り畳み式の携帯電話では、本体を折り畳んだとき主液晶表示部が内側になるため、折り畳んだときに外側になる面（主液晶表示部の裏面側）に補助液晶表示部が設けられており、この補助液晶表示部で時刻や着信記録を確認し得るように構成されている。
【０００３】
一方、主液晶表示部であっても表示される文字や記号が小さく、確認するのが容易ではないため、主液晶表示部に対向させてレンズを設け、この主液晶表示部に表示された情報を拡大し得るようにした携帯電話が提案されている（例えば特許文献１参照）。
【０００４】
【特許文献１】特開２００１−１７４７１７号公報
【発明の開示】
【発明が解決しようとする課題】
【０００５】
補助液晶表示部は、主液晶表示部と比較して表示面積が小さく、且つ文字や記号も主液晶表示部に表示される文字や記号と比較すると小さいため、着信記録を含む表示情報の確認が容易ではないという問題がある。特許文献１の技術は携帯電話の主液晶表示部にレンズを設けるものであり、折り畳み式の携帯電話に設けた補助液晶表示部の前記問題を解決するものではない。
【０００６】
本発明の目的は、折り畳み式の携帯電話に於ける補助液晶表示部に表示された文字や記号からなる表示情報を容易に確認し得るようにした補助液晶表示部の構造を提供することにある。
【課題を解決するための手段】
【０００７】
上記課題を解決するために本発明に係る補助液晶表示部の構造は、折り畳み式携帯電話の補助液晶表示部の構造であって、前記補助液晶表示部の透明窓部に凸レンズ状の保護カバーを取り付けたものである。
【発明の効果】
【０００８】
上記補助液晶表示部（以下「補助表示部」という）の構造では、折り畳み式の携帯電話に於ける補助表示部の透明窓部に凸レンズ状の保護カバーを取り付けることによって、補助表示部に表示されている文字や記号等の表示情報を拡大することが出来、該表示情報を容易に確認することが出来る。
【発明を実施するための最良の形態】
【０００９】
以下、本発明に係る補助表示部の構造の最良の実施形態について説明する。本発明に係る補助表示部の構造は、折り畳んだときに主液晶表示部（主表示部）が内側になる折り畳み式の携帯電話の外側に設けた補助表示部に凸レンズ状の保護カバーを設けることによって、該補助表示部に表示された情報を拡大することで容易に確認し得るようにしたものである。
【００１０】
補助表示部は横寸法に比較して縦寸法が小さい。このため、保護カバーは円筒を縦（円筒の軸方向）に切断した凸レンズ状に形成されたものであることが好ましい。また保護カバーの曲率は特に限定するものではないが大きくすることによって拡大率を大きくすることが好ましく、このように、円筒状で且つ曲率の大きい凸レンズ状の保護カバーを補助表示部の透明窓部に取り付けることで、補助表示部に表示された文字や記号を大きな歪みを生じさせることなく拡大することが可能である。
【００１１】
補助表示部に取り付けられる保護カバーの材料は限定するものではなく、ガラス或いは透明な合成樹脂であって良い。特に、保護カバーを合成樹脂によって構成した場合、携帯電話の重量の増加をまねくことがなく好ましい。
【実施例１】
【００１２】
次に、上記補助表示部の好ましい実施例について図を用いて説明する。図１は折り畳み式携帯電話の構成を説明する図である。図２は補助表示部の構造を拡大した三面図である。
【００１３】
折り畳み式の携帯電話は図１に示すように、第１ケーシング１と第２ケーシング２をヒンジ３を介して接続することで、折り畳み可能に構成されている。第１ケーシング１の外側には補助表示部Ａが設けられており、内側には主表示部（図示せず）が設けられている。また第２ケーシング２には複数のキー４が配置されている。即ち、図１に示す携帯電話は、補助表示部Ａの構成を除く部分は一般的な折り畳み式携帯電話と同様に構成されている。
【００１４】
補助表示部Ａは第１ケーシング１の予め設定された部分に構成されている。第１ケーシング１に於ける補助表示部Ａの位置は限定するものではなく、個々の携帯電話のデザインに応じて最も適した位置に構成されている。従って、補助表示部Ａの長手方向が第１ケーシング１の長手方向に沿った方向に形成されるか、短手方向に形成されるかも限定するものではない。
【００１５】
本実施例では、図１，２に示すように、補助表示部Ａの長手方向は第１ケーシング１の短手方向に配置されている。即ち、第１ケーシング１の所定位置には透明窓部を構成する凹部１１と段部１２が設けられており、凹部１１に液晶の表示部１３が配置されている。
【００１６】
段部１２には透明な保護カバー１４が嵌め込まれている。この保護カバー１４は、段部１２の深さと略等しい厚さを持った嵌合部１４ａと、予め設定された曲率を持って円筒状に形成された凸レンズ部１４ｂとを有して形成されており、嵌合部１４ａを段部１２に嵌め込んだとき、凸レンズ部１４ｂが表示部１３と対向する。
【００１７】
従って、表示部１３に表示されている文字や記号からなる表示情報は凸レンズ部１４ｂによって拡大され、外部からの確認が容易となる。
【００１８】
また保護カバー１４の凸レンズ部１４ｂが円筒状の突起となって第１ケーシング１の外表面にアクセントを付けることとなり、該凸レンズ部１４ｂをワンポイントデザインとして意匠性を向上させることが可能となる。
【実施例２】
【００１９】
次に、保護カバー１４の異なる実施例について図３により説明する。図に示す保護カバー１４は、凸レンズ部１４ｃがメニスカス状の凸レンズとして形成されており、第１実施例に係る保護カバー１４の凸レンズ部１４ｂと比較して表示部３の歪みを小さくすることが可能である。
【産業上の利用可能性】
【００２０】
本発明に係る補助表示部の構造は、折り畳み式の携帯電話に於けるケーシングを折り畳んだときに外側の面に設けられる補助表示部であれば如何なる仕様のものであっても、好ましく適用することが可能である。
【図面の簡単な説明】
【００２１】
【図１】折り畳み式携帯電話の構成を説明する図である。
【図２】補助表示部の構造を拡大した三面図である。
【図３】保護カバーの異なる実施例を説明する図である。
【符号の説明】
【００２２】
Ａ                          補助表示部
１                          第１ケーシング
２                          第２ケーシング
３                          ヒンジ
４                          キー
１１                        凹部
１２                        段部
１３                        表示部
１４                        保護カバー
１４ａ                      嵌合部
１４ｂ，１４ｃ              凸レンズ部
【図１】
2005333518.tif 000003
【図２】
2005333518.tif 000004
【図３】
2005333518.tif 000005